(57)【特許請求の範囲】
【請求項１】
放送を受信する放送受信装置であって、
蓄積型放送により放送される第１のコンテンツの蓄積時期および放送時期の情報を記憶する記憶部と、
ユーザによる第２のコンテンツの視聴中に前記第１のコンテンツの蓄積時期が到来したか否かを判定する時期判定部と、
前記時期判定部により前記蓄積時期が到来したと判定された場合に、前記蓄積時期よりも後の前記第１のコンテンツの前記放送時期に前記第１のコンテンツの蓄積時期を設定する蓄積時期設定部と、
を備えることを特徴とする放送受信装置。
【請求項２】
前記時期判定部により前記蓄積時期が到来したと判定された場合に、前記第２のコンテンツの視聴を継続するか否かを指示する入力をユーザから受け付ける入力部をさらに備え、前記蓄積時期設定部は、前記第２のコンテンツの視聴を継続することを指示する入力をユーザから受け付けた場合に、前記蓄積時期よりも後の前記第１のコンテンツの前記放送時期に前記第１のコンテンツの蓄積時期を設定することを特徴とする請求項１に記載の放送受信装置。
【請求項３】
前記第２のコンテンツの視聴を継続することを指示する入力をユーザから受け付けなかった場合に、受信する放送を前記第２のコンテンツの放送から第１のコンテンツの放送に切り替える放送切替部をさらに備えることを特徴とする請求項２に記載の放送受信装置。
【請求項４】
前記第２のコンテンツの視聴を継続するか否かを指示する入力をユーザから受け付ける場合に、前記第１のコンテンツの再放送の情報を表示する表示部をさらに備えることを特徴とする請求項２または３に記載の放送受信装置。
【請求項５】
前記第１のコンテンツの再放送の情報は、前記第１のコンテンツが再放送される回数の情報を含むことを特徴とする請求項４に記載の放送受信装置。
【請求項６】
前記第１のコンテンツの再放送の情報は、前記第１のコンテンツが再放送される時期の情報を含むことを特徴とする請求項４または５に記載の放送受信装置。
【請求項７】
放送を受信する放送受信方法であって、
蓄積型放送により放送される第１のコンテンツの蓄積時期および放送時期の情報を記憶した記憶部から該蓄積時期の情報を読み出す情報読出ステップと、
前記情報読出ステップにおいて読み出した前記蓄積時期の情報に基づいて、ユーザによる第２のコンテンツの視聴中に前記第１のコンテンツの蓄積時期が到来したか否かを判定する時期判定ステップと、
前記時期判定ステップにおいて前記蓄積時期が到来したと判定された場合に、前記蓄積時期よりも後の前記第１のコンテンツの前記放送時期に前記第１のコンテンツの蓄積時期を設定する蓄積時期設定ステップと、
を含むことを特徴とする放送受信方法。
【発明の詳細な説明】
【技術分野】
【０００１】
本発明は、放送を受信する放送受信装置および放送受信方法に関する。
【背景技術】
【０００２】
従来、テレビ番組の視聴予約を受け付け、予約された日時に至ると、視聴中のテレビ番組のチャンネルから視聴予約がなされたテレビ番組のチャンネルにチャンネルが自動的に切り替わるテレビ受像機がある。
【０００３】
チャンネルが切り換わると、視聴者は、いままで視聴していたテレビ番組を継続してみることができなくなる。そのため、視聴中のテレビ番組から視聴予約をしたテレビ番組にチャンネルを変更するか否か、また、視聴中のテレビ番組または視聴予約をしたテレビ番組を録画するか否かを視聴者に選択させる放送受信装置が提案されている（特許文献１を参照）。
【先行技術文献】
【特許文献】
【０００４】
【特許文献１】特開２００５−２５２７６４号公報
【発明の概要】
【発明が解決しようとする課題】
【０００５】
視聴中のテレビ番組または視聴予約をしたテレビ番組のいずれか一方を視聴するため、他方のテレビ番組を録画することとしても、２つのテレビ番組の放送波を同時に受信するためには、２つのチューナーが必要になる。しかし、スマートフォンなどの携帯機器の場合、ハードウェアの配置や消費電力の制約等から２つのチューナーを搭載することは難しいという問題がある。
【０００６】
そして、携帯機器にチューナーが１つしか無く、その携帯機器で視聴者がテレビ番組を視聴している間に、視聴予約をしたテレビ番組の予約日時が到来すると、視聴者は一方のテレビ番組の視聴を諦めなくてはならなくなる。
【０００７】
同様のことは、蓄積型放送においてコンテンツの蓄積予約を行った場合にも当てはまる。すなわち、あるコンテンツを視聴者が視聴している間に、コンテンツの蓄積日時が到来した場合、携帯機器が２つのチューナーを搭載することができない場合は、視聴者は一方のコンテンツの視聴を諦めなくてはならない。
【０００８】
本発明は、上記課題に鑑み、チューナーが１つしかなく、あるコンテンツの視聴中に別のコンテンツの蓄積時期が到来した場合であっても、視聴者が両方のコンテンツを視聴することができる放送受信装置、放送受信方法を提供することを目的とする。
【課題を解決するための手段】
【０００９】
上記課題を解決する為に、本発明の第１の技術手段は、放送を受信する放送受信装置であって、蓄積型放送により放送される第１のコンテンツの蓄積時期および放送時期の情報を記憶する記憶部と、ユーザによる第２のコンテンツの視聴中に前記第１のコンテンツの蓄積時期が到来したか否かを判定する時期判定部と、前記時期判定部により前記蓄積時期が到来したと判定された場合に、前記蓄積時期よりも後の前記第１のコンテンツの前記放送時期に前記第１のコンテンツの蓄積時期を設定する蓄積時期設定部と、を備えることを特徴ことを特徴とする。
【００１０】
本発明の第２の技術手段は、第１の技術手段において、前記時期判定部により前記蓄積時期が到来したと判定された場合に、前記第２のコンテンツの視聴を継続するか否かを指示する入力をユーザから受け付ける入力部をさらに備え、前記蓄積時期設定部は、前記第２のコンテンツの視聴を継続することを指示する入力をユーザから受け付けた場合に、前記蓄積時期よりも後の前記第１のコンテンツの前記放送時期に前記第１のコンテンツの蓄積時期を設定することを特徴とする。
【００１１】
本発明の第３の技術手段は、第２の技術手段において、前記第２のコンテンツの視聴を継続することを指示する入力をユーザから受け付けなかった場合に、受信する放送を前記第２のコンテンツの放送から第１のコンテンツの放送に切り替える放送切替部をさらに備えることを特徴とする。
【００１２】
本発明の第４の技術手段は、第２または第３の技術手段において、前記第２のコンテンツの視聴を継続するか否かを指示する入力をユーザから受け付ける場合に、前記第１のコンテンツの再放送の情報を表示する表示部をさらに備えることを特徴とする。
【００１３】
本発明の第５の技術手段は、第４の技術手段において、前記第１のコンテンツの再放送の情報は、前記第１のコンテンツが再放送される回数の情報を含むことを特徴とする。
【００１４】
本発明の第６の技術手段は、第４または第５の技術手段において、前記第１のコンテンツの再放送の情報は、前記第１のコンテンツが再放送される時期の情報を含むことを特徴とする。
【００１５】
本発明の第７の技術手段は、放送を受信する放送受信方法であって、蓄積型放送により放送される第１のコンテンツの蓄積時期および放送時期の情報を記憶した記憶部から該蓄積時期の情報を読み出す情報読出ステップと、前記情報読出ステップにおいて読み出した前記蓄積時期の情報に基づいて、ユーザによる第２のコンテンツの視聴中に前記第１のコンテンツの蓄積時期が到来したか否かを判定する時期判定ステップと、前記時期判定ステップにおいて前記蓄積時期が到来したと判定された場合に、前記蓄積時期よりも後の前記第１のコンテンツの前記放送時期に前記第１のコンテンツの蓄積時期を設定する蓄積時期設定ステップと、を含むことを特徴とする。
【発明の効果】
【００１６】
本発明によれば、ユーザによる第２のコンテンツの視聴中に第１のコンテンツの蓄積時期が到来したか否かを判定し、上記蓄積時期が到来したと判定した場合に、蓄積時期よりも後の第１のコンテンツの放送時期に、第１のコンテンツの蓄積時期を設定することとした。これにより、チューナーが１つしかなく、あるコンテンツを視聴者が視聴中に別のコンテンツの蓄積時期が到来した場合であっても、蓄積型放送のコンテンツをそのコンテンツの次回の放送時期にずらして蓄積し、後に蓄積したコンテンツを視聴者が視聴できるようにすることにより、視聴者は両方のコンテンツを視聴することができる。
【図面の簡単な説明】
【００１７】
【図１】本発明の実施形態に係る放送システムの一例を示す図である。
【図２】本発明の実施形態に係る放送受信装置の構成の一例を示すブロック図である。
【図３】本発明に係る放送受信処理の処理手順の一例を示すフローチャートである。
【発明を実施するための形態】
【００１８】
以下、本発明の実施形態について図面を参照して詳細に説明する。まず、本発明の実施形態に係る放送システムについて説明する。図１は、本発明の実施形態に係る放送システムの一例を示す図である。図１に示すように、この放送システムは、放送局１、通信基地局２、放送受信装置１０を備える。
【００１９】
放送局１は、マルチメディア放送などの放送波を送信する放送局である。通信基地局２は、放送受信装置１０と電話網との間の通信を中継する通信基地局である。放送受信装置１０は、放送局１により送信された放送波を受信するとともに、通信基地局２との間で通信を行う携帯端末などの装置である。
【００２０】
なお、以下では放送受信装置１０が携帯端末である場合について説明するが、放送受信装置１０は携帯端末に限らず、放送局１により送信された放送波を受信するハードディスクレコーダーやブルーレイディスクレコーダーなどの装置であってもよい。
【００２１】
つぎに、本発明の実施形態に係る放送受信装置の構成について説明する。図２は、本発明の実施形態に係る放送受信装置１０の構成の一例を示すブロック図である。
【００２２】
図２に示すように、放送受信装置１０は、放送波受信アンテナ１１、チューナー部１２、復調部１３、誤り訂正部１４、多重分離部１５、デコード部１６、画像重畳部１７、表示部１８、音声出力部１９、通信アンテナ２０、通信部２１、入力部２２、計時部２３、記憶部２４、制御部２５を備える。
【００２３】
放送波受信アンテナ１１は、放送局１により送信されたマルチメディア放送の放送波を受信するアンテナである。チューナー部１２は、チャンネルの選局を行い、選局したチャンネルの放送信号を復調部１３に出力するチューナーである。復調部１３は、チューナー部１２から取得した放送信号を復調することによりデジタル信号を取得し、取得したデジタル信号を誤り訂正部１４に出力する処理部である。
【００２４】
誤り訂正部１４は、復調部１３から取得したデジタル信号に対して誤り訂正を行う処理部である。これにより、放送局１により送信されたＴＳ（Transport Stream）パケットが復元される。
【００２５】
多重分離部１５は、ＴＳパケットを映像パケット、音声パケット、データ放送パケットに分離し、映像パケットおよび音声パケットをデコード部１６に、データ放送パケットを制御部２５に出力する処理部である。
【００２６】
デコード部１６は、映像パケットおよび音声パケットを復号し、その結果得られた映像信号を画像重畳部１７に、音声信号を音声出力部１９に出力する処理部である。
【００２７】
画像重畳部１７は、デコード部１６から取得した映像信号と、制御部２４においてデータ放送パケットに対する処理により得られた画像信号とを重畳し、その結果得られた信号を表示部１８に出力する処理部である。
【００２８】
表示部１８は、液晶ディスプレイや有機ＥＬ（Electro-Luminescence）ディスプレイなどの表示デバイスである。この表示部１８は、画像重畳部１７により出力された信号を受信し、その信号に応じて映像の表示を行う。
【００２９】
音声出力部１９は、音声を出力するスピーカーなどの出力デバイスである。この音声出力部１９は、デコード部１６により出力された音声信号を受信し、その音声信号に応じて音声の出力を行う。
【００３０】
通信アンテナ２０は、通信基地局２との間で通話やデータ通信用の通信電波の送受信を行うアンテナである。通信部２１は、通話処理やデータ通信処理を行う処理部である。入力部２２は、ボタンやタッチパッドなどの入力デバイスである。計時部２３は、日時を計測する時計である。
【００３１】
記憶部２４は、不揮発性メモリなどの記憶デバイスである。この記憶部２４は、ユーザデータ２４ａ、放送時期データ２４ｂ、蓄積時期データ２４ｃ、切替設定データ２４ｄ、コンテンツデータ２４ｅを記憶する。
【００３２】
ユーザデータ２４ａは、送受信した電子メールや電話帳などのユーザの個人データである。放送時期データ２４ｂは、蓄積型放送においてコンテンツが放送・再放送される日時（放送日および放送時間帯）、そのコンテンツが再放送される残りの回数のデータである。
【００３３】
例えば、放送局１により送信されるＥＣＧ（Electronic Content Guide）には、コンテンツが放送・再放送される日時の情報が含まれている。そのため、後に説明する放送受信制御部２５ｂは、ＥＣＧからコンテンツが放送・再放送される日時の情報を取得するとともに、取得した情報からコンテンツが再放送される残りの回数の情報を生成し、取得あるいは生成した情報を記憶部２４に放送時期データ２４ｂとして記憶する。
【００３４】
蓄積時期データ２４ｃは、蓄積予約を行ったコンテンツの蓄積日時（蓄積日および蓄積時間帯）のデータである。この蓄積日時データ２４ｃには、蓄積予約を行ったコンテンツの識別情報、そのコンテンツが放送されるチャンネルの情報、および、蓄積日時の情報が対応付けて記憶される。この蓄積時期データ２４ｃは、後に説明する蓄積時期設定部２５ｄにより記憶部２４に記憶される。
【００３５】
切替設定データ２４ｄは、コンテンツの視聴日時が蓄積型放送におけるコンテンツの蓄積日時と重複した場合に、受信する放送を蓄積型放送に強制的に切り替えるか否かの設定情報を記憶したデータである。この切替設定データ２４ｄは、予めユーザにより設定される。コンテンツの視聴日時が蓄積型放送におけるコンテンツの蓄積日時と重複し、受信する放送を蓄積型放送に強制的に切り替えるようにユーザにより設定された情報が切替設定データ２４ｄに記憶されている場合、受信する放送が蓄積型放送に強制的に切り替えられる。
【００３６】
なお、ここでは、ユーザによる設定に基づいて、受信する放送を蓄積型放送に強制的に切り替えることとしたが、ユーザによる設定に依らず、コンテンツの視聴日時が蓄積型放送におけるコンテンツの蓄積日時と重複した場合には、強制的に受信する放送を蓄積型放送に切り替えることとしてもよい。
【００３７】
コンテンツデータ２４ｅは、後に説明する蓄積処理部２５ｅにより蓄積されたコンテンツのデータである。
【００３８】
制御部２５は、放送受信装置１０を全体的に制御するＣＰＵ（Central Processing Unit）などの制御デバイスである。この制御部２５は、通信制御部２５ａ、放送受信制御部２５ｂ、時期判定部２５ｃ、蓄積時期設定部２５ｄ、蓄積処理部２５ｅ、放送切替部２５ｆを備える。
【００３９】
通信制御部２５ａは、通信部２１が行う通話処理やデータ通信処理を制御する処理部である。具体的には、通信制御部２５ａは、通信部２１が受信した電子メールをユーザデータ２４ａとして記憶部２４に記憶する処理や、ユーザが通話を行うため通話相手を指定した場合に、ユーザにより指定された通話相手の電話番号の情報をユーザデータ２４ａに記憶されている電話帳のデータから読み出し、読み出した電話番号に発信する処理などを行う。
【００４０】
放送受信制御部２５ｂは、コンテンツの放送受信処理を制御する処理部である。具体的には、放送受信制御部２５ｂは、チューナー部１２を制御してユーザにより指定されたチャンネルを選局したり、復調部１３を制御して放送信号を復調したり、多重分離部１５からデータ放送パケットを取得してそれを復号し、その結果得られたデータ放送の画像信号を画像重畳部１７に出力する処理などを行う。
【００４１】
また、この放送受信制御部２５ｂは、前述のように、放送局１により送信されたＥＣＧからコンテンツが放送・再放送される日時の情報を取得するとともに、取得した情報からコンテンツが再放送される残りの回数の情報を生成し、取得あるいは生成した情報を記憶部２４に放送時期データ２４ｂとして記憶する。
【００４２】
時期判定部２５ｃは、ユーザがコンテンツを視聴している間に、蓄積時期データ２４ｂに記憶されているコンテンツの蓄積日時が到来したか否かを判定する処理部である。この時期判定部２５ｃは、計時部２３による日時の計測結果と、蓄積時期データ２４ｂに記憶されているコンテンツの蓄積日時とを比較することにより、上記判定を行う。
【００４３】
蓄積時期設定部２５ｄは、時期判定部２５ｃによりユーザによるコンテンツの視聴中に蓄積型放送のコンテンツの蓄積時期が到来したと判定された場合に、その蓄積日時に蓄積予約がなされていた蓄積型放送のコンテンツの蓄積日時を、そのコンテンツの次回の放送日時に設定する処理部である。その際、蓄積時期設定部２５ｄは、次回の放送日時の情報を放送時期データ２４ｂから読み出して上記設定を行う。
【００４４】
蓄積処理部２５ｅは、蓄積時期設定部２５ｄにより設定された蓄積日時にコンテンツの蓄積を行う処理部である。ただし、蓄積時期設定部２５ｄにより設定された蓄積日時にユーザが他のコンテンツの視聴をしている場合、蓄積処理部２５ｅは、そのコンテンツの視聴を継続するユーザからの指示があったか否かを判定する。
【００４５】
そして、そのコンテンツの視聴を継続するユーザからの指示があった場合、蓄積処理部２５ｅは、その蓄積日時にコンテンツの蓄積は行わない。この場合、蓄積時期設定部２５ｄによりそのコンテンツの蓄積日時は、そのコンテンツの次回の放送日時に設定されることになる。そのコンテンツの視聴を継続するユーザからの指示がなかった場合、蓄積処理部２５ｅは、その蓄積日時にコンテンツを蓄積する。
【００４６】
放送切替部２５ｆは、現在視聴しているコンテンツの放送を別のコンテンツの放送に切り替える処理部である。具体的には、放送切替部２５ｆは、ユーザによるコンテンツの視聴中に蓄積型放送のコンテンツの蓄積時期が到来した場合に、記憶部２４から切替設定データ２４ｄを読み出し、切替設定データ２４ｄに放送を蓄積型放送に強制的に切り替えるように設定されているか否かを判定する。
【００４７】
切替設定データ２４ｄに放送を蓄積型放送に強制的に切り替えるように設定されている場合、放送切替部２５ｆは、現在視聴しているコンテンツの放送を蓄積型放送に強制的に切り替える。切替設定データ２４ｄに放送を蓄積型放送に強制的に切り替えるように設定されていない場合、放送切替部２５ｆは、蓄積日時が到来したコンテンツの再放送の情報（再放送される日時および回数の情報）を表示部１８に表示させる。この再放送の情報は、放送時期データ２４ｂから取得される。
【００４８】
そして、放送切替部２５ｆは、入力部２２を介して、現在視聴しているコンテンツについて視聴を継続するか否かを指示する入力を所定の時間ユーザから受け付ける。所定の時間内にユーザから視聴を継続する指示を受け付けなかった場合、放送切替部２５ｆは、現在視聴しているコンテンツの放送を蓄積型放送に切り替える。
【００４９】
ユーザから視聴を継続する指示を受け付けた場合、放送切替部２５ｆは、放送の切り替えを行わない。この場合、蓄積日時が到来したコンテンツの蓄積日時は、蓄積時期設定部２５ｄにより、そのコンテンツの次回の放送日時に再設定されることになる。
【００５０】
なお、蓄積処理部２５ｅがコンテンツの蓄積を行っている間は、放送切替部２５ｆは、他のコンテンツの放送への切り替えを禁止する。
【００５１】
このように、ユーザは現在視聴しているコンテンツを継続して視聴するのか、蓄積型放送の受信に切り替えるのかを選択することができる。また、ユーザは、現在視聴しているコンテンツを継続して視聴することを選択した場合であっても、蓄積日時が到来したコンテンツを次回の放送日時に蓄積することにより、蓄積されたコンテンツを視聴することができるようになるので、ユーザは現在視聴しているコンテンツと蓄積日時が到来したコンテンツの両方を視聴することができる。
【００５２】
さらに、ユーザが現在視聴しているコンテンツを継続して視聴するのか、あるいは、蓄積型放送の受信に切り替えるのかを選択する際に、コンテンツが再放送される日時や回数などの再放送の情報を表示することにより、その選択を行う際に有用な情報をユーザに提供することができる。例えば、ユーザは、コンテンツが再放送される回数が多い場合に、現在視聴しているコンテンツの視聴を継続するなどの選択をすることができる。
【００５３】
つぎに、本発明に係る放送受信処理の処理手順について説明する。図３は、本発明に係る放送受信処理の処理手順の一例を示すフローチャートである。図３に示すように、まず、放送受信装置１０の表示部１８および音声出力部１９は、受信したコンテンツの映像の表示処理および音声の出力処理をそれぞれ実行する（ステップＳ１０１）。
【００５４】
そして、放送切替部２５ｆは、記憶部２４から蓄積時期データ２４ｃを読み出し、蓄積時期データ２４ｃに登録されている蓄積型放送のコンテンツの蓄積日時が到来したか否かを判定する（ステップＳ１０２）。ここで、ステップＳ１０１において映像の表示処理および音声の出力処理を行っているコンテンツと、ステップＳ１０２において蓄積日時が到来したか否かの判定対象となっているコンテンツとは異なるものとする。
【００５５】
蓄積型放送のコンテンツの蓄積日時が到来していない場合（ステップＳ１０２においてＮＯの場合）、ステップＳ１０１に移行して、受信したコンテンツの映像の表示処理および音声の出力処理が継続される。
【００５６】
蓄積型放送のコンテンツの蓄積日時が到来した場合（ステップＳ１０２においてＹＥＳの場合）、放送切替部２５ｆは、記憶部２４から切替設定データ２４ｄを読み出し、切替設定データ２４ｄに放送を蓄積型放送に強制的に切り替えるように設定されているか否かを判定する（ステップＳ１０３）。
【００５７】
切替設定データ２４ｄに放送を蓄積型放送に強制的に切り替えるように設定されている場合（ステップＳ１０３においてＹＥＳの場合）、放送切替部２５ｆは、チューナー部１２を制御して、受信する放送を蓄積型放送に強制的に切り替える（ステップＳ１０７）。そして、蓄積処理部２５ｅは、蓄積型放送のコンテンツの蓄積処理を行う（ステップＳ１０８）。その後、この放送受信処理は終了する。
【００５８】
ステップＳ１０３において、切替設定データ２４ｄに放送を蓄積型放送に強制的に切り替えるように設定されていない場合（ステップＳ１０３においてＮＯの場合）、放送切替部２５ｆは、記憶部２４から放送時期データ２４ｂを読み出し、蓄積型放送のコンテンツの再放送の日時および再放送される残りの回数を表示部１８に表示させる表示処理を行う（ステップＳ１０４）。
【００５９】
その後、放送切替部２５ｆは、入力部２２を介して、現在視聴しているコンテンツについて視聴を継続するか否かを指示する入力を所定の時間ユーザから受け付ける（ステップＳ１０５）。そして、放送切替部２５ｆは、所定の時間内に現在視聴しているコンテンツについて視聴を継続するユーザからの指示があったか否かを判定する（ステップＳ１０６）。
【００６０】
現在視聴しているコンテンツについて視聴を継続するユーザからの指示がなかった場合（ステップＳ１０６においてＮＯの場合）、放送切替部２５ｆは、チューナー部１２を制御し、受信する放送のＴＳ（Transport Stream）を蓄積型放送のＴＳに切り替える（ステップＳ１０７）。そして、蓄積処理部２５ｅは、蓄積型放送のコンテンツの蓄積処理を行う（ステップＳ１０８）。その後、この放送受信処理は終了する。
【００６１】
現在視聴しているコンテンツについて視聴を継続するユーザからの指示があった場合（ステップＳ１０６においてＹＥＳの場合）、蓄積時期設定部２５ｄは、そのコンテンツについての再放送回数が０回であるか否かを判定する（ステップＳ１０９）。
【００６２】
そのコンテンツについての再放送回数が０回でない場合（ステップＳ１０９においてＮＯの場合）、蓄積時期設定部２５ｄは、蓄積型放送のコンテンツの蓄積日時を再設定する処理を行う（ステップＳ１１０）。具体的には、蓄積時期設定部２５ｄは、記憶部２４から放送時期データ２４ｂを読み出し、蓄積型放送のコンテンツの蓄積日時を、その蓄積型放送のコンテンツの次回の放送日時に設定する処理を行う。
【００６３】
そのコンテンツについての再放送回数が０回である場合（ステップＳ１０９においてＹＥＳの場合）、ステップＳ１０１に移行し、現在ユーザが視聴しているコンテンツについて、そのコンテンツの映像の表示処理および音声の出力処理がそのまま継続される。
【００６４】
なお、ステップＳ１０９では、再放送回数が０回であるか否かを判定することとしたが、これに限定されず、再放送回数がユーザにより設定された１回以上の所定の回数以下、あるいは、予め定められた１回以上の所定の回数以下であるか否かを判定し、再放送回数が上記所定の回数以下でない場合に、ステップＳ１１０の処理を行い、再放送回数が上記所定の回数以下である場合に、ステップＳ１０１に移行し、その後の処理を実行することとしてもよい。
【００６５】
また、ステップＳ１０４の処理において、蓄積型放送のコンテンツについて再放送される残りの回数が１回である場合、放送切替部２５ｆは、つぎの再放送が最後の放送であることをユーザに通知するメッセージを表示部１８に表示させる表示処理をさらに行うこととしてもよい。これにより、つぎの再放送が最後の放送であることをユーザに明確に認識させることができ、ステップＳ１０５において、ユーザに現在視聴しているコンテンツについて視聴を継続するか否かを適切に判断させることができる。
【００６６】
なお、ここでは、蓄積型放送のコンテンツについて再放送される残りの回数が１回である場合に、放送切替部２５ｆが、つぎの再放送が最後の放送であることをユーザに通知するメッセージを表示部１８に表示させる表示処理をさらに行うこととしたが、これに限定されず、残りの回数が０回、または、２回以上の所定の回数である場合に、つぎの再放送が無いことをユーザに通知するメッセージを、あるいは、つぎの再放送を含む残りの再放送回数をユーザに通知するメッセージを表示部１８に表示させる表示処理をさらに行うこととしてもよい。ここで、上記所定の回数は、予め設定されていてもよいし、ユーザにより設定されることとしてもよい。
【００６７】
また、ステップＳ１０７の処理において、放送切替部２５ｆは、受信する放送のＴＳを、そのＴＳとは別の蓄積型放送のＴＳに切り替えることとしたが、ＴＳ中に複数の放送が含まれており、そのうちの１つにより放送されるコンテンツを蓄積する場合に、同一のＴＳ内で放送を切り替えることとしてもよい。ここで、切り替える放送が同一のＴＳ内に含まれているか否かはＮＩＴ（Network Information Table）を解析することにより判定される。
【００６８】
さて、これまで放送受信装置および放送受信方法の実施形態を中心に説明を行ったが、本発明はこれらの実施形態に限定されるものではなく、放送受信装置の機能を実現するためのコンピュータプログラムとしての形態、あるいは、当該コンピュータプログラムが記録されたコンピュータ読み取り可能な記録媒体の形態として本発明が実施されることとしてもよい。
【００６９】
ここで、記録媒体としては、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等、さまざまな形態のものを採用することができる。
【００７０】
これら記録媒体に上記実施形態における放送受信装置の機能を実現させるコンピュータプログラム、または、放送受信方法をコンピュータに実行させるコンピュータプログラムを記録して流通させることにより、コストの低廉化、及び可搬性や汎用性を向上させることができる。
【００７１】
そして、コンピュータに上記記録媒体を装着し、コンピュータにより記録媒体に記録されたコンピュータプログラムを読み出してメモリに格納し、コンピュータが備えるプロセッサ（CPU：Central Processing Unit、MPU：Micro Processing Unit）が当該コンピュータプログラムをメモリから読み出して実行することにより、本実施形態に係る放送受信装置の機能を実現し、放送受信方法を実行することができる。
【００７２】
また、本発明は上述した実施形態に限定されず、本発明の要旨を逸脱しない範囲内で各種の変形、修正が可能である。
【符号の説明】
【００７３】
１０…放送受信装置、１１…放送波受信アンテナ、１２…チューナー部、１３…復調部、１４…誤り訂正部、１５…多重分離部、１６…デコード部、１７…画像重畳部、１８…表示部、１９…音声出力部、２０…通信アンテナ、２１…通信部、２２…入力部、２３…計時部、２４…記憶部、２４ａ…ユーザデータ、２４ｂ…放送時期データ、２４ｃ…蓄積時期データ、２４ｄ…切替設定データ、２４ｅ…コンテンツデータ、２５…制御部、２５ａ…通信制御部、２５ｂ…放送受信制御部、２５ｃ…時期判定部、２５ｄ…蓄積時期設定部、２５ｅ…蓄積処理部、２５ｆ…放送切替部
【図１】
0005762864.tif 000002
【図２】
0005762864.tif 000003
【図３】
0005762864.tif 000004